(57)【要約】【課題】現時点以降における省エネルギーのための動機付けを視覚的に行う。【解決手段】モニターＡに表示される画面に、発電に関する情報を表示する発電情報表示部１と、電力消費に関する情報を表示する電力消費情報表示部２とを隣接して設ける。隣接する発電情報表示部１と電力消費情報表示部２にそれぞれ当日の基準となるカウント開始時刻から現在時刻までの総発電量と、総消費量とをそれぞれ棒表示３ａ、４ａで表示する棒グラフ表示部３、４を隣接して設けて隣接する両棒表示３ａ、４ａの表示長さの差により現時点における当日の現在時刻までの総発電量と総消費量の差が表示されるようにする。隣接する発電情報表示部１と電力消費情報表示部２に更に現在時刻における発電量と消費量を数値で表示する現在発電量数値表示部５と現在消費量数値表示部６を設ける。【選択図】図１
2008141843.tif 000002
【特許請求の範囲】
【請求項１】
太陽光発電で発電した電力を消費し、太陽光発電における発電量が消費電力よりも大きい場合は電力会社に売電し且つ太陽光発電における発電量が電力消費量よりも小さい場合は不足分を電力会社から買電するようにした太陽光発電システムにおいて、発電と電力消費に関する情報をモニターに表示するためのエネルギー機器稼動状況表示モニターであって、
モニターに表示される画面に、発電に関する情報を表示する発電情報表示部と、電力消費に関する情報を表示する電力消費情報表示部とを隣接して設け、隣接する発電情報表示部と電力消費情報表示部にそれぞれ当日の基準となるカウント開始時刻から現在時刻までの総発電量と、総消費量とをそれぞれ棒表示で表示する棒グラフ表示部を隣接して設けて隣接する両棒表示の表示長さの差により現時点における当日の現在時刻までの総発電量と総消費量の差が表示されるようにすると共に、隣接する発電情報表示部と電力消費情報表示部に更に現在時刻における発電量と消費量を数値で表示する現在発電量数値表示部と現在消費量数値表示部を設けて成ることを特徴とするエネルギー機器稼動状況表示モニター。
【請求項２】
当日の現在時刻までの総発電量を表示する棒表示内を、当日の現在時刻までに発電した電気のうち消費した消費量と、売電した売電量とに分割して表示すると共に、当日の現在時刻までの総消費量を表示する棒表示内を当日の現在時刻までに消費した電気のうち発電した電気を消費した消費量と、買電した電気の買電量とに分割して表示し、両隣接する棒表示の表示長さの差により表される現時点における当日の現在時刻までの総発電量と総消費量の差の表示が上記現在時刻までに発電した電気のうち売電量と、現在時刻までに消費した電気のうち買電した買電量の差として表示されることを特徴とする請求項１記載のエネルギー機器稼動状況表示モニター。
【請求項３】
発電情報表示部に現在時刻までの当日の総発電量を数値で表示すると共に電力消費情報表示部に現在時刻までの当日の総消費量を数値で表示することを特徴とする請求項１又は請求項２記載のエネルギー機器稼動状況表示モニター。
【請求項４】
発電情報表示部に発電表示アイコンを設けると共に電力消費情報表示部に消費表示アイコンを設け、現時点が売電時である場合は発電表示アイコンを消費表示アイコンよりも大きく表示し、且つ、現時点における発電量と消費量とが均衡している場合は発電表示アイコンと消費表示アイコンを同じ大きさで表示し、且つ、現時点が買電時である場合は消費表示アイコンを発電表示アイコンよりも大きく表示するように制御することを特徴とする請求項１乃至請求項３のいずれかに記載のエネルギー機器稼動状況表示モニター。
【発明の詳細な説明】
【技術分野】
【０００１】
本発明は、太陽光発電で発電した電力を消費し、太陽光発電における発電量が消費電力よりも大きい場合は電力会社に売電し且つ太陽光発電における発電量が消費電力よりも小さい場合は不足分を電力会社から買電するようにした太陽光発電システムにおける太陽光発電機器や電力を消費する機器等のエネルギー機器の稼動状況を表示するようにしたエネルギー機器稼動状況表示モニターに関するものである。
【背景技術】
【０００２】
従来から太陽光発電における現時点の発電量と、現時点の消費電力量とを数値で並べて表示すると共に、現時点の発電量＞現時点の消費電力量の場合は、コインが財布に入っていくアニメーション画像を表示し、現時点の消費電力量＞現時点の発電量の場合は、コインが財布から出て行くアニメーション画像を表示するようにしたエネルギー機器稼動状況表示装置が特許文献１により知られている。
【０００３】
ところが、上記した特許文献１に示された従来例にあっては、現時点の太陽光発電の発電量と現時点における電気の消費量が数値で表示されると共に、アニメーションによりコインが財布から出て行くか又は入って行くアニメーション表示により、現時点の状態が売電状態かあるいは買電状態かを表示するようにしているにすぎず、当日の現時点に至るまでの総発電量、総消費量を表すと共に、一目で総発電量と総消費量の差、つまり、当日の現時点までの総発電量と総消費量とのどちらが多いのかが一目で判るようにした表示となっていない。
【０００４】
つまり、現時点における瞬間的な発電量と消費量とが数値で分かったり、アニメーションでどちらが多いかが分かっても、当日の現時点までの発電状況、電力消費状況が同時に分からないため、例えば、当日の現時点までの発電量が当日の現時点までの電力消費量よりも少なかった場合、あるいは、予想以上に少なかった場合であっても、現時点おける発電量が消費量よりも多いと、省エネルギーを行おうとする動機付けにならない。
【０００５】
このように、上記従来例にあっては、当日の現時点までの総発電量と総消費量の差により、当日の現時点までの発電状況、電力消費状況が分からず、したがって、当日の現時点までの総発電量と総消費量の差を一目で視覚的に知ることにより現在以後の省エネルギーのための動機付けを利用者に与えるようになっていない。
【０００６】
ここで、当日の現時点までの総発電量と総消費量を数値で表示することが考えられるが、数値による総発電量○○ｋＷ、総消費量△△ｋＷという数字表示では一般の人、特に、子供や老人や主婦には注意を引き難く、現時点以降における省エネルギーのための動機付けになり難く、現時点以降においても省エネルギーを意識することなく、電力を消費する機器を使用することになる。
【特許文献１】特開２００２−２９７２２９号公報
【発明の開示】
【発明が解決しようとする課題】
【０００７】
本発明は上記の従来の問題点に鑑みて発明したものであって、現時点以降における省エネルギーのための動機付けを視覚的に効果的に行って、利用者に省エネルギー行動を惹起させることが可能となるような表示ができるエネルギー機器稼動状況表示モニターを提供することを課題とするものである。
【課題を解決するための手段】
【０００８】
上記課題を解決するために本発明に係るエネルギー機器稼動状況表示モニターは、太陽光発電で発電した電力を消費し、太陽光発電における発電量が消費電力よりも大きい場合は電力会社に売電し且つ太陽光発電における発電量が電力消費量よりも小さい場合は不足分を電力会社から買電するようにした太陽光発電システムにおいて、発電と電力消費に関する情報をモニターＡに表示するためのエネルギー機器稼動状況表示モニターであって、モニターＡに表示される画面に、発電に関する情報を表示する発電情報表示部１と、電力消費に関する情報を表示する電力消費情報表示部２とを隣接して設け、隣接する発電情報表示部１と電力消費情報表示部２にそれぞれ当日の基準となるカウント開始時刻から現在時刻までの総発電量と、総消費量とをそれぞれ棒表示３ａ、４ａで表示する棒グラフ表示部３、４を隣接して設けて隣接する両棒表示３ａ、４ａの表示長さの差により現時点における当日の現在時刻までの総発電量と総消費量の差が表示されるようにすると共に、隣接する発電情報表示部１と電力消費情報表示部２に更に現在時刻における発電量と消費量を数値で表示する現在発電量数値表示部５と現在消費量数値表示部６を設けて成ることを特徴とするものである。
【０００９】
このような構成とすることで、モニターＡに表示される画面に、発電に関する情報を表示する発電情報表示部１と、消費に関する情報を表示する電力消費情報表示部２とを隣接して設けることで、一つの画面において、発電に関する情報と消費に関する情報を同時に比較して見ることができるだけでなく、隣接する発電情報表示部１と電力消費情報表示部２とに設けた棒グラフ表示部３、４において当日の基準となるカウント開始時刻から現在時刻までの総発電量と、総消費量とをそれぞれ棒表示３ａ、４ａで表示するので、隣接する両棒表示３ａ、４ａの表示長さの差により現時点における当日の現在時刻までの総発電量と総消費量の差が一目で判り、当日の現在時刻までの総消費量が当日の現時刻までの総発電量よりも予想以上に多い場合には、その差が棒グラフにおける棒表示の差として視覚的に一目瞭然で判り、当日の現時点までの省エネルギーの努力が足りなかったことが理解でき、現在の時刻以降における強い省エネルギーの動機付けとなり、無駄な電力消費を少しでも少なくしようとする行動を強く惹起することができる。この場合、更に現在時刻における発電量と消費量とを表示するので、現在時刻における発電量と消費量とを確認しながら、上記棒グラフにおける棒表示３ａ、４ａの差を見ることで、当日の現在時刻までの総発電量と総消費量の差を知ることができて、より正確に発電、消費の関係を知ることができる。
【００１０】
また、当日の現在時刻までの総発電量を表示する棒表示３ａ内を、当日の現在時刻までに発電した電気のうち消費した消費量７と、売電した売電量８とに分割して表示すると共に、当日の現在時刻までの総消費量を表示する棒表示４ａ内を当日の現在時刻までに消費した電気のうち発電した電気を消費した消費量７と、買電した電気の買電量９とに分割して表示し、両隣接する棒表示３ａ、４ａの表示長さの差により表される現時点における当日の現在時刻までの総発電量と総消費量の差の表示が上記現在時刻までに発電した電気のうち売電量と、現在時刻までに消費した電気のうち買電した買電量の差として表示されることが好ましい。
【００１１】
このような構成とすることで、当日の現在時刻までの総発電量と総消費量の差を知ることで同時に、現在時刻までに発電した電気のうち売電量と、現在時刻までに消費した電気のうち買電した買電量の差を知ることができ、これによってより強い省エネルギーの動機付けを与えることができる。
【００１２】
また、発電情報表示部１に現在時刻までの当日の総発電量を数値で表示すると共に電力消費情報表示部２に現在時刻までの当日の総消費量を数値で表示することが好ましい。
【００１３】
このような構成とすることで、発電情報表示部１に現在時刻までの当日の総発電量と総消費量を上記のように隣接する棒表示３ａ、４ａとして表示することに加えて数値でも並べて表示することで、棒表示３ａ、４ａと数値によってより強い省エネルギーの動機付けを与えることができる。
【００１４】
また、発電情報表示部１に発電表示アイコン１０を設けると共に電力消費情報表示部２に消費表示アイコン１１を設け、現時点が売電時である場合は発電表示アイコン１０を消費表示アイコン１１よりも大きく表示し、且つ、現時点における発電量と消費量とが均衡している場合は発電表示アイコン１０と消費表示アイコン１１を同じ大きさで表示し、且つ、現時点が買電時である場合は消費表示アイコン１１を発電表示アイコン１０よりも大きく表示するように制御することが好ましい。
【００１５】
このような構成とすることで、消費表示アイコン１１と発電表示アイコン１０の表示の大きさにより、現在時刻における発電量と消費量との関係が、売電か、均衡か、買電かが一目で明瞭に判り、例えば、消費表示アイコン１１が発電表示アイコン１０と同じ大きさの表示の時や、消費表示アイコン１１が発電表示アイコン１０の時は、均衡や買電状態であるため、無駄な電力使用を抑制しようとする強い省エネルギーの動機付けを与えることができる。
【発明の効果】
【００１６】
本発明は、上記のように、隣接する両棒表示の長さの差により現時点における当日の現在時刻までの総発電量と総消費量の差が視覚的に一目で判り、現時点以降における省エネルギーのための強い動機付けを与えて、利用者に省エネルギー行動を惹起させることが可能となるような表示ができるという利点がある。
【発明を実施するための最良の形態】
【００１７】
以下、本発明を添付図面に示す実施形態に基いて説明する。
【００１８】
図３には太陽光発電システムの概略構成図が示してある。太陽光発電システムは、太陽電池１２により太陽光発電した電力を家庭や事業所内の電力として利用するとともに、太陽光発電における発電量が消費電力よりも大きい場合（つまり余剰電力が生じた場合）は電力会社に売電し、曇りや雨あるいは夜間のように十分な太陽光発電ができなかったり、あるいは太陽光発電が不能となったりして太陽光発電における発電量が消費電力よりも小さい場合は不足分を電力会社から買電するようにしたシステムである。
【００１９】
図３において、１２は発電側のエネルギー機器である太陽電池、１３は太陽電池１２による太陽光発電の制御を行うパワーコンディショナであって、電力測定ユニット１３ａを備えている。また、１４は太陽光発電電力系統線、電力会社からの商用電力系統線が接続された分電盤であって解列開閉器、電流センサ１４ａ等が設けてあり、１５は分電盤１４を介して供給される電力を消費する負荷（つまり、テレビ、冷蔵庫、電気温水器１５ａ等の消費側のエネルギー機器）であり、Ａは発電側のエネルギー機器である太陽電池１２の稼動状況や消費側のエネルギー機器である負荷１５の稼動状況を表示するためのモニターである。
【００２０】
上記パワーコンディショナ１３は太陽電池１２で発生した電気（直流）を交流２００Ｖに変換し、また、商用側の電力品質に影響を与えないようにするための制御を行い、更に、電力測定ユニット１３ａにより分電盤１４に設けた電流センサ１４ａからの情報に基づいて発電量、売／買電力を測定し、これらの太陽光発電に関する諸情報をモニターＡにデータを送信するようになっている。
【００２１】
また、図３の実施形態では負荷１５である消費側のエネルギー機器の一つの電気温水器１５ａの稼動状況の情報もモニターＡに送信されるようになっている。
【００２２】
モニターＡにはモニター制御部１８が設けてあり、上記送信されたデータを演算処理して発電及び電力消費状況（つまり、発電側、消費側のエネルギー機器の稼動状況）をモニターＡに画面として表示するようになっている。
【００２３】
モニターＡに表示される画面として本発明においては、少なくとも図１に示すような発電及び電力消費状況を表す発電・消費画面Ｂ１がある。
【００２４】
この発電・消費画面Ｂ１にはその中央部に画面全体の大部分を占めるように発電に関する情報を表示する発電情報表示部１と、消費に関する情報を表示する電力消費情報表示部２とを隣接して設けてある。図１に示す実施形態においては、発電情報表示部１と電力消費情報表示部２とが左右に隣接して並んでおり、発電情報表示部１と電力消費情報表示部２とは画面上における表示面積が同じ又は略同じ大きさとなっている。また、添付図面に示す実施形態では発電・消費画面Ｂ１の左右方向の一端部には消費側のエネルギー機器の一つである電気温水器の稼動状態を示す電気温水器稼動状態表示部２１となっている。発電情報表示部１、電力消費情報表示部２はいずれも電気温水器稼動状態表示部２１よりも横幅が広く、発電情報表示部１、電力消費情報表示部２における表示が目立つように構成してある。
【００２５】
また、発電・消費画面Ｂ１の上端部及び下端部に沿ってそれぞれ上下巾の狭い上バー状表示部２２と下バー状表示部２３とが設けてある。
【００２６】
隣接する発電情報表示部１と電力消費情報表示部２にはそれぞれ当日の基準となるカウント開始時刻から現在時刻までの総発電量と、総消費量とをそれぞれ棒表示３ａ、４ａで表示する棒グラフ表示部３、４が設けてある。添付図面に示す実施形態では発電情報表示部１の全領域が棒グラフ表示部３となり、電力消費情報表示部２の全領域が棒グラフ表示部３となっている。もちろん、各棒グラフ表示部３、４が発電情報表示部１と電力消費情報表示部２の境界を介して左右に隣接するように構成されるものであれば、各棒グラフ表示部３、４がそれぞれ発電情報表示部１、電力消費情報表示部２の一部に形成してあってもよい。
【００２７】
また、上記棒グラフ表示部３、４は発電情報表示部１と電力消費情報表示部２の各下端、つまり、発電情報表示部１、電力消費情報表示部２と下バー状表示部２３との境界がゼロとなる基準線となっていて、当日の基準となるカウント開始時刻（実施形態では午前０時をカウント開始時刻としている）から現在時刻までの総発電量と、総消費量とをそれぞれ棒表示３ａ、４ａで表示するようになっており、その表示は上記棒グラフ表示部３、４を下から上に向けて棒表示３ａ、４ａが伸びるように構成してある。このように、隣接する棒グラフ表示部３、４にそれぞれ総発電量と、総消費量とを棒表示３ａ、４ａで表示することで棒グラフとして表示されるようになっている。この棒グラフにおいて、当日の基準となるカウント開始時刻から現在時刻までの総発電量と、総消費量とに差がある場合、その差は上記棒表示３ａの上端と、棒表示４ａの上端との差として表されることになる。
【００２８】
上記棒グラフ表示部３に表示される棒表示３ａ内は、当日の現在時刻までに発電した電気のうち消費した消費量７と、当日の現在時刻までに発電した電気のうち売電した売電量８とに分割して表示されるようになっており、また、棒グラフ表示部４に表示される棒表示４ａ内は、当日の現在時刻までに消費した電気のうち発電した電気を消費した消費量７と、当日の現在時刻までに買電した電気の買電量９とに分割して表示するようになっている。当日の現在時刻までに消費した電気のうち発電した電気を消費した消費量７は両棒表示３ａ、４ａ内の下側に表示され、棒表示３ａ内の上側（つまり当日の現在時刻までに発電した電気のうち消費した消費量７の表示の上側）には売電量８が表示され、棒表示４ａ内の上側（つまり当日の現在時刻までに発電した電気のうち消費した消費量７の表示の上側）には買電量９が表示される。
【００２９】
上記のように、（棒グラフ表示部３に表示される棒表示３ａの長さ）＝（棒表示３ａにおける当日の現在時刻までに発電した電気のうち消費した消費量７に相当する分の長さ）＋（棒表示３ａにおける当日の現在時刻までに発電した電気のうち売電した売電量８に相当する分の長さ）として表示され、また、（棒グラフ表示部４に表示される棒表示４ａの長さ）＝（棒表示４ａにおける当日の現在時刻までに発電した電気のうち消費した消費量７に相当する長さ）＋（棒表示４ａにおける当日の現在時刻までに消費した電気のうち買電した買電量９に相当する長さ）として表示されることになる。
【００３０】
したがって、上記隣接する棒表示３ａと棒表示４ａとの差は前述のように、当日の基準となるカウント開始時刻から現在時刻までの総発電量と総消費量との差として認識されると共に、同時に、当日の基準となるカウント開始時刻から現在時刻までの売電量と買電量の差としても認識されることになる。
【００３１】
このように、隣接する両棒表示３ａ、４ａの差を見るだけで、当日の現在時刻までの総発電量と総消費量との差と、売電量と買電量の差が視覚的に一目瞭然に強く認識され、総発電量と総消費量との差や、売電量と買電量の差が予想よりも違う場合など、視覚的に「省エネルギーをしなければならない」という強い省エネルギーのための動機付けを利用者に与えることになる。
【００３２】
ところで、棒グラフ表示部３、４にそれぞれ表示される棒表示３ａ、４ａはそれぞれ総発電量、総消費量が増えるにしたがって下から上に伸びていくが、棒表示３ａ、４ａは、棒グラフ表示部３、４の上端である発電情報表示部１、電力消費情報表示部２の上端までしか表示できず、このため、総発電量又は総消費量が増えて棒グラフ表示部３の上端又は棒グラフ表示部４の上端が棒グラフ表示部３又は棒グラフ表示部４の上端に至ると、棒グラフ表示部３、棒グラフ表示部４に表示する棒表示３ａ、４ａの表示の比率が小さくなるように変更して表示するようになっている。例えば、初めに棒グラフ表示部３、４の上端である発電情報表示部１、電力消費情報表示部２の上端をそれぞれ１０ｋＷを表示する部分に設定してあるとした場合、総発電量又は総消費量のいずれかが先に１０ｋＷになると棒グラフ表示部３、４の上端である発電情報表示部１、電力消費情報表示部２の上端が例えば２０ｋＷを表示する部分となり、両棒グラフ表示部３、４に表示される両棒表示３ａ、４ａの高さが１／２に縮小表示されることになり、以降は総発電量、総消費量が増加していくにしたがって上記縮小された割合で両棒グラフ表示部３、４が上に伸びていくことになる。
【００３３】
発電情報表示部１の上部には更に現在発電量数値表示部５が設けてあって、現在時刻における発電量と消費量を数値で表示するようになっており、電力消費情報表示部２の上部には現在消費量数値表示部６が設けてあって、現在時刻における電力消費量を数値で表示するようになっている。上記現在発電量数値表示部５と現在消費量数値表示部６とは左右に隣あって表示されるようになっており、したがって、左右に隣り合った現在発電量数値表示部５と現在消費量数値表示部６に表示された数値を見ることで現在時刻における発電量と消費量を知ることができると同時に左右見比べることで、現在時刻において発電量と消費量のどちらが多いかが直ぐに理解できるようになっている。
【００３４】
また、隣接する発電情報表示部１のほぼ中央部に現在時刻における発電状態を表すための発電表示アイコン１０を設けると共に電力消費情報表示部２のほぼ中央部に現在時刻における消費電力状態を表すための消費表示アイコン１１を設けてある。この発電表示アイコン１０、消費表示アイコン１１は現時点（現在時刻）における発電、消費の状態が売電時である場合は発電表示アイコン１０を消費表示アイコン１１よりも大きく表示し、且つ、現時点における発電量と消費量とが均衡している場合は発電表示アイコン１０と消費表示アイコン１１を同じ大きさで表示し、且つ、現時点が買電時である場合は消費表示アイコン１１を発電表示アイコン１０よりも大きく表示するように制御するようになっている。これにより現在時刻における発電量と消費量のどちらが多いか（つまり、売電状態か、買電状態か、均衡状態か）が視覚的に直ぐわかるようになっており、発電表示アイコン１０、消費表示アイコン１１を見ることと、上記発電表示アイコン１０、消費表示アイコン１１の各上方向の現在発電量数値表示部５、現在消費量数値表示部６に表示された現在時刻における発電量と消費量の数値を見ることにより現在時刻における発電、消費の状況が一目で理解でき、この点でも利用者に省エネルギーに対する強い動機付けを与えることができる。
【００３５】
発電情報表示部１と電力消費情報表示部２の下部にわたって多数の玉が並んだ玉線状の電気流れ表示部３０が設けてあり、該玉線状の電気流れ表示部３０は発電表示アイコン１０と消費表示アイコン１１につながっており、玉線状の電気流れ表示部３０において、売電時は各玉の表示をある色（例えば緑）で発色表示すると共に該発色表示が左側に向けて順次発色表示するようにし、一方、買電時は各玉の表示を別のある色（例えば青）で発色表示すると共に該発色表示が左側に向けて順次発色表示するようにすることで、これを見ることによっても現在、売電時なのか買電時であるかが一目で判る。
【００３６】
また、発電情報表示部１にはさらに現在時刻までの当日の総発電量を数値で表示する総発電量数値表示部２４が設けてあり、また、電力消費情報表示部２には現在時刻までの当日の総消費量を数値で表示する総消費量数値表示部２５が設けてあり、上記隣り合った両棒表示３ａ、４ａの差で視覚的に総発電量と総消費量の差を認識すると共に、同時に隣り合った総発電量数値表示部２４、総消費量数値表示部２５に表示された数値によっても総発電量と総消費量を知ることができ、よりいっそうモニターＡの画面を通しての省エネルギーの動機付け効果を発揮できる。
【００３７】
なお、発電・消費画面Ｂ１の左右方向の一端部には消費側のエネルギー機器の一つである電気温水器の稼動状態を示す電気温水器稼動状態表示部２１には消費側のエネルギー機器の一つである電気温水器（例えばヒートポンプを用いた電気温水器）の稼動状況が表示されるようになっており、当日の給湯量を棒グラフと数値により表示すると共に、現在の給湯状態を給湯状態表示アイコン３１により表示するようになっており、給湯時には給湯状態表示アイコン３１が動く動作をし、停止時には給湯状態表示アイコン３１が静止するようになっている。
【００３８】
発電・消費画面Ｂ１の上端部に設けた上バー状表示部２２には太陽光発電の運転状態（つまり発電中か停止中かといった状態）を表示する運転状態表示部３２、現在表示している画面をアイコンで表示する現在画面表示部３３、２４時間時計表示部３４、カレンダー・時刻数値表示部４２が設けてある。
【００３９】
２４時間時計表示部３４は帯状をしており、帯状の長手方向の一端（図においては左側端）が始端時刻表示部３４ａ（例えば午前０時を表す部分）となり且つ長手方向の他端が終端時刻表示部３４ｂ（例えば午後１２時を表す部分）となっている。
【００４０】
この帯状をした２４時間時計表示部３４には始端時刻表示部３４ａ側から終端時刻表示部３４ｂ側にかけて表示位置を変更しながら２４時間時計表示部３４の現在時刻に対応した位置で現在時刻を表示する現在時刻表示印３５が設けてあり、添付図面に示す実施形態では現在時刻表示印３５は縦線として表示される。つまり、縦線として表示される現在時刻表示印３５が帯状をした２４時間時計表示部３４の時計の針として機能し、該針の位置を見ることで、現在時刻を知ることができるようになっている。
【００４１】
そして、上記帯状の２４時間時計表示部３４はあらかじめ設定された電力料金が異なる複数の時間帯に分割して複数の分割時間帯表示部３６ａ、３６ｂ，３６ｃに区分けしてあり、複数の分割時間帯表示部３６ａ、３６ｂ、３６ｃは表示色をそれぞれ異ならせてある（なお、複数の分割時間帯表示部３６ａ、３６ｂ、３６ｃの表示色をそれぞれ異ならせるに当っては、色相、明度、彩度のいずれか一つの要素又は複数の要素を異ならせる）。
【００４２】
したがって、２４時間時計表示部３４における現在時刻表示印３５の位置を知ることで、現在時刻が複数の分割時間帯表示部３６ａ、３６ｂ，３６ｃのどこに位置しているかが一目で判るようになっており、また、現在の電力料金の時間帯から電力料金が異なる次の時間帯に変更するまであとどのくらいの時間があるかが判るようになっている。
【００４３】
ここで、現在時刻表示印３５がある分割時間帯表示部（例えば３６ａ）で現在時刻を表示している時、次の分割時間帯表示部（例えば３６ｂ）の表示に切り換わるあらかじめ設定した一定時間前（例えば３０分前）になると、現在時刻表示印３５による表示が異なる表示（例えば点滅表示や異なる色表示）となるように制御される。これにより、後、何分又は何時間で電力料金が変わるということが強く利用者に印象付けられ、もう少しで電力料金が高くなるというような場合は、消費側のエネルギー機器の使用を済ませてしまう（例えば電気掃除機や洗濯機やエアコン等の使用を早く済ませてしまう）といった行動や、あるいは、もう少しで電力料金が安くなるというような場合は、消費側のエネルギー機器の使用を電力料金が安くなるまで待つ（例えば電気掃除機や洗濯機やエアコン等の使用を少し待つ）といった行動を使用者に取らせるための動機付け（省エネルギーに対する強い動機付け）が与えられることになる。
【００４４】
また、発電・消費画面Ｂ１には、現在時刻表示印３５が一つの分割時間帯表示部（例えば３６ａ）のある位置で現在時刻を表示している時、次の分割時間帯表示部（例えば３６ｂ）の表示に切り換わる時刻のあらかじめ設定した一定時間前（例えば３０分前）になると、発電・消費画面Ｂ１に「後３０分で料金が高くなります」、あるいは「後３０分で料金が安くなります」というように、後どれだけの時間が経過すると現在の料金時間帯から異なる料金時間帯に切り替わるかということを文字・数値で表示する時間帯変更予告表示部３７が設けてある。この場合、あらかじめ決められた時間（例えば３分）が経過する毎に時間帯が切り替わるまでの残りの時間を、「後３０分で料金が高くなります」、「後２７分で料金が高くなります」、「後２４分で料金が高くなります」……というように次々と切り替えて文字・数値で表示する。
【００４５】
この場合も前述と同様、省エネルギーに対する強い動機付けを利用者に与えることができる。
【００４６】
もちろん、上記現在時刻表示印３５の表示の変化と上記時間帯変更予告表示部３７における文字・数字による予告表示との両方で表示することで、より強く省エネルギーに対する強い動機付けを利用者に与えることができる。
【００４７】
なお、発電・消費画面Ｂ１の下端部に設けた下バー状表示部２３には右端部及び左端部にそれぞれ別の基本画面への切り替え操作部３８が設けてある。ここで、右端部の切り替え操作部３８は正循環基本画面変更手段３８ａとなり、左端部の右端部の切り替え操作部３８は逆循環基本画面変更手段３８ｂとなっている。更に、下バー状表示部２３には発電・消費画面Ｂ１における表示の一部を切り替えたり、発電・消費画面Ｂ１を画面上に残したまま、この発電・消費画面Ｂ１の上に重なるようにポップアップ画面を表示するための切替部４０、発電・消費画面Ｂ１で表示した内容をより詳細に表示する詳細画面への切り替えるための詳細画面切り替え操作部４１が設けてある。
【００４８】
切替部４０は例えば「金額表示」と表示された釦であって、「金額表示」と表示された釦をタッチすると、図２のように発電・消費画面Ｂ１の総発電量数値表示部２４、総消費量数値表示部２５に相当する箇所にその日における現在までの総発電量、総消費量に対応した電気料金の金額をそれぞれ表示するようになっている。そして、この図２に示す画面においては図１において「金額表示」と表示された釦が「電力量表示」という表示に切り換わるので、図２において「電力量表示」という表示の釦を押すと、発電・消費画面Ｂ１に図１の電力量が表示される。
【００４９】
図４にはモニターＡに画面として表示する複数の異なる画面相互の関連を示す構成図が示してある。
【００５０】
モニターＡに示す画面としては基本画面Ｂと、詳細画面Ｃとに大別される。
【００５１】
モニターＡには基本画面Ｂとして上記した発電及び電力消費状況を表す発電・消費画面Ｂ１を含めて３つ以上の基本画面Ｂ１、Ｂ２、……Ｂｎを切り替えて表示できるようになっている。ここで、発電・消費画面Ｂ１を基本画面Ｂ１とした場合、基本画面Ｂ２、……Ｂｎにも発電・消費画面Ｂ１と同様に正循環基本画面変更手段３８ａと逆循環基本画面変更手段３８ｂが設けてある。
【００５２】
そして、モニターＡに任意の基本画面Ｂ（例えば基本画面Ｂ１）が表示されているとした場合、基本画面Ｂ１の正循環基本画面変更手段３８ａを指先でタッチする等の操作をすると画面が基本画面Ｂ２に切り換わって表示され、更に、基本画面Ｂ２の正循環基本画面変更手段３８ａを操作すると画面が基本画面Ｂ３に切り換わって表示され、同様にして正循環基本画面変更手段３８ａを操作することで、次々とあらかじめ決められて順番で画面表示がなされ、基本画面Ｂｎの正循環基本画面変更手段３８ａを操作すると画面が基本画面Ｂ１に切り換わって表示され、……というように正循環基本画面変更手段３８ａの操作により３つ以上の基本画面Ｂをあらかじめ決められた順番で一方向に循環して表示する（Ｂ１、Ｂ２、……Ｂｎ、Ｂ１……）という規則性の正循環による表示切替えがなされるようになっている。
【００５３】
一方、モニターＡに任意の基本画面Ｂ（例えば基本画面Ｂ１）が表示されているとした場合、基本画面Ｂ１の逆循環基本画面変更手段３８ｂを操作すると画面が基本画面Ｂｎに切り換わって表示され、更に、基本画面Ｂｎの逆循環基本画面変更手段３８ｂを操作すると画面が基本画面Ｂｎ−１に切り換わって表示され、同様にして逆循環基本画面変更手段３８ｂを操作することで、次々とあらかじめ決められて逆方向の順番で画面表示がなされ、基本画面Ｂ２の逆循環基本画面変更手段３８ｂを操作すると画面が基本画面Ｂ１に切り換わって表示され、……というように逆循環基本画面変更手段３８ｂの操作により３つ以上の基本画面Ｂをあらかじめ決められた逆方向の順番で逆方向に循環して表示する（Ｂ１、Ｂｎ、Ｂｎ−１……、Ｂ２、Ｂ１……）という規則性の逆循環による表示切替えがなされるようになっている。
【００５４】
また、各基本画面Ｂには基本画面Ｂの一つである発電・消費画面Ｂ１と同様に詳細画面への詳細画面切り替え操作部４１が設けてあり、各基本画面Ｂにおいて詳細画面切り替え操作部４１を指先でタッチする等の操作をすることで、該当する基本画面Ｂにおける表示に関連した詳細画面Ｃが表示される。詳細画面Ｃに設けた画面復帰用操作部３９ａを操作することで、画面が該当する基本画面Ｂに切り替え表示される。ここで、詳細画面Ｃが複数ある場合、階層的に画面を切り替えて表示できるようにしてもよい。つまり、該当する基本画面Ｂにおける表示に関連した詳細画面Ｃ１に切り替え表示した場合、詳細画面Ｃ１に設けた下層画面表示操作部３９ｂを操作することで、更に下層の詳細画面Ｃ２に画面を切り替え表示するようになっており、下層の詳細画面Ｃ２に設けた画面復帰用操作部３９ａを操作することで、上層の詳細画面Ｃ１又は該当する基本画面Ｂに画面を切り替え表示するようになっている。
【００５５】
また、各基本画面Ｂには基本画面Ｂの一つである発電・消費画面Ｂ１と同様に表示を該当する基本画面Ｂの一部の表示を切り替えたり、該当する基本画面Ｂを画面上に残したまま、この発電・消費画面Ｂ１の上に重なるようにポップアップ画面表示をするための切替部４０を設けてもよい。
【図面の簡単な説明】
【００５６】
【図１】本発明のモニターの画面として表示される発電・消費画面である。
【図２】同上の金額表示に切り替えた状態の発電・消費画面である。
【図３】同上のモニターが用いられる太陽光発電システムの概略構成図である。
【図４】同上のモニターに画面として表示する複数の異なる画面相互の関連を示す構成図である。
【符号の説明】
【００５７】
Ａ  モニター
１  発電情報表示部
２  電力消費情報表示部
３  棒グラフ表示部
３ａ  棒表示
４  棒グラフ表示部
４ａ  棒表示
５  現在発電量数値表示部
６  現在消費量数値表示部
７  消費量
８  売電量
９  買電量
１０  発電表示アイコン
１１  消費表示アイコン
【図１】
2008141843.tif 000003
【図２】
2008141843.tif 000004
【図３】
2008141843.tif 000005
【図４】
2008141843.tif 000006